(57)【要約】      （修正有）【課題】特定の電話番号の電話機への発信と、任意の電話番号の電話機への発信とを選択的に切り替えることができる携帯電話機能を含む電話装置を実現する。【解決手段】電話装置１は、フックスイッチ３と、硬貨の種類を検出する硬貨判別機３２と、移動体通信用の携帯電話回路部１１と、複数のボタン２２，２４と、制御部２０と、を備える。制御部は、フックスイッチが作動した後で、硬貨判別機によって硬貨が検出されることなく複数のボタンの中の特定のボタンが付勢された場合には、携帯電話回路部に特定の電話番号へと発信または発呼をさせ、硬貨判別機によって硬貨が検出されかつ複数のボタンの中の番号入力用のボタンで電話番号が入力された場合には、携帯電話回路部に入力された電話番号へと発信または発呼をさせる。【選択図】図１
0003189301.tif 000002
【実用新案登録請求の範囲】
【請求項１】
フックスイッチと、
硬貨の種類を検出する硬貨判別機と、
携帯電話回路部と、
複数のボタンと、
前記フックスイッチが作動した後で、前記硬貨判別機によって硬貨が検出されることなく前記複数のボタンの中の特定のボタンが付勢された場合に前記携帯電話回路部に特定の電話番号へと発信または発呼させ、前記硬貨判別機によって硬貨が検出されかつ前記複数のボタンの中の番号入力用のボタンで電話番号が入力された場合に前記携帯電話回路部に前記入力された電話番号へと発信または発呼させる制御部と、
を備える電話装置。
【請求項２】
フックスイッチと、
硬貨の種類を検出する硬貨判別機と、
移動体通信用の携帯電話回路部と、
特定のボタンおよび番号入力用のボタンと、
前記フックスイッチがオフフック状態になった後で、前記硬貨判別機によって硬貨が検出されることなく前記特定のボタンが付勢された場合に前記携帯電話回路部に特定の電話番号へと発信または発呼させ、前記硬貨判別機によって適正な硬貨が検出されかつ前記番号入力用のボタンで電話番号が入力された場合に前記携帯電話回路部に前記入力された電話番号へと発信または発呼させる制御部と、
を備える電話装置。
【請求項３】
前記制御部は、前記入力された電話番号との通話に対する単位料金および単位時間を記憶し、前記携帯電話回路部の通話状態の経過時間に対して、前記単位時間毎に前記単位料金に対応する前記硬貨を硬貨格納部に収納するよう動作するものであることを特徴とする、請求項１または２に記載の電話装置。
【請求項４】
前記制御部は、前記フックスイッチがオフフック状態になった後で、発話代行用のボタンが付勢されかつ前記特定のボタンが付勢された場合に前記携帯電話回路部に特定の電話番号へと発信または発呼させ、前記携帯電話回路部が通話状態になったときに所定の音声信号を前記携帯電話回路部を介して着信側へと送信するものであることを特徴とする、請求項１乃至３のいずれかに記載の電話装置。
【請求項５】
前記制御部は、人感センサによって人が検出されたときに、当該電話装置の使用法に関する情報を可視表示または可聴表示するものであることを特徴とする、請求項１乃至４のいずれかに記載の電話装置。
【請求項６】
前記制御部は、前記携帯電話回路部が前記入力された電話番号に対して呼を設定して硬貨格納部に収納された料金分の時間が経過したときに、前記硬貨判別機によって次の適正な硬貨が検出されないと判定された場合に、前記携帯電話回路部に呼を強制的に解放させるものであることを特徴とする、請求項１乃至５のいずれかに記載の電話装置。
【考案の詳細な説明】
【技術分野】
【０００１】
本考案は、無料で特定の電話番号にまたは有料で任意の電話番号に対して発信することができる電話装置に関する。
【背景技術】
【０００２】
例えばタクシー会社等によって、病院などの玄関等にタクシー会社との間での通話専用の電話機が設置されていることがある。この場合、患者または訪問者は、電話番号を知らなくても病院などでタクシーを呼寄せることができる。一方、携帯電話が普及して、採算上の問題から病院やコンビニエンス・ストアなどから公衆電話機が撤去される傾向にある。しかし、携帯電話機を持っていない者がおり、また、携帯電話機を持っている者であってもバッテリ切れなどのために携帯電話機を一時的に利用できないことがいる。
【０００３】
実用新案登録第３０８４１５０号に開示された既知の呼出し専用電話機は、携帯電話機およびその電源部が収容されていて、外部に支持された送受話器を持上げることにより携帯電話機に予め設定されている電話番号の相手につながる。それによって、呼出し専用電話機は、送受話器を持上げることによって特定の相手にだけつながる。
【先行技術文献】
【特許文献】
【０００４】
【特許文献１】実用新案登録第３０８４１５０号
【考案の概要】
【考案が解決しようとする課題】
【０００５】
考案者は、例えば病院やコンビニエンス・ストアのような場所または施設で費用が高くても公衆電話機を利用することに対するニーズが存在する、と認識した。考案者は、携帯電話機能を含む電話装置をそのような場所に固定的に配置して、例えばタクシー会社のような特定の電話番号の電話機へ発信するようにして、電話装置の運営維持費用を基本的にタクシー会社のような支援者に負担させれば、電話装置の運営維持の採算が取れる、と認識した。また、考案者は、携帯電話機能を含む電話装置を施設に固定的に配置して、無料の特定の電話番号の電話機への発信と、有料の任意の電話番号の電話機への発信とを選択的に行えるようにすれば、利用者にとって利便性が増す、と認識した。また、考案者は、電話装置において、任意の電話番号の電話機への発信に対して、移動体通信会社または電話通信会社の料金体系と関係なく利用料金を自由に設定または変更できるようにすれば、電話装置の運営者にとって電話装置の運営維持がしやすくなる、と認識した。
【０００６】
本考案の目的は、特定の電話番号の電話機への発信と、任意の電話番号の電話機への発信とを選択的に行うことができる、携帯電話機能を含む電話装置を実現することである。また、本考案の別の目的は、携帯電話機能を含む電話装置において、通信利用料金を自由に設定または変更できるようにすることである。
【課題を解決するための手段】
【０００７】
本考案の特徴によれば、電話装置は、フックスイッチと、硬貨の種類を検出する硬貨判別機と、携帯電話回路部と、複数のボタンと、前記フックスイッチが作動した後で、前記硬貨判別機によって硬貨が検出されることなく前記複数のボタンの中の特定のボタンが付勢された場合に前記携帯電話回路部に特定の電話番号へと発信または発呼させ、前記硬貨判別機によって硬貨が検出されかつ前記複数のボタンの中の番号入力用のボタンで電話番号が入力された場合に前記携帯電話回路部に前記入力された電話番号へと発信または発呼させる制御部と、を備える。
【０００８】
本考案の別の特徴によれば、電話装置は、フックスイッチと、硬貨の種類を検出する硬貨判別機と、移動体通信用の携帯電話回路部と、特定のボタンおよび番号入力用のボタンと、前記フックスイッチがオフフック状態になった後で、前記硬貨判別機によって硬貨が検出されることなく前記特定のボタンが付勢された場合に前記携帯電話回路部に特定の電話番号へと発信または発呼させ、前記硬貨判別機によって適正な硬貨が検出されかつ前記番号入力用のボタンで電話番号が入力された場合に前記携帯電話回路部に前記入力された電話番号へと発信または発呼させる制御部と、を備える。
【０００９】
実施形態によれば、前記制御部は、前記入力された電話番号との通話に対する単位料金および単位時間を記憶し、前記携帯電話回路部の通話状態の経過時間に対して、前記単位時間毎に前記単位料金に対応する前記硬貨を硬貨格納部に収納するよう動作するものであってもよい。また、前記制御部は、前記フックスイッチがオフフック状態になった後で、発話代行用のボタンが付勢されかつ前記特定のボタンが付勢された場合に前記携帯電話回路部に特定の電話番号へと発信または発呼させ、前記携帯電話回路部が通話状態になったときに所定の音声信号を前記携帯電話回路部を介して着信側へと送信するものであってもよい。また、前記制御部は、人感センサによって人が検出されたときに、当該電話装置の使用法に関する情報を可視表示または可聴表示するものであってもよい。また、前記制御部は、前記携帯電話回路部が前記入力された電話番号に対して呼を設定して硬貨格納部に収納された料金分の時間が経過したときに、前記硬貨判別機によって次の適正な硬貨が検出されないと判定された場合に、前記携帯電話回路部に呼を強制的に解放させるものであってもよい。
【考案の効果】
【００１０】
本考案によれば、特定の電話番号の電話機への発信と、任意の電話番号の電話機への発信とを選択的に行うことができる、携帯電話機能を含む装置を実現でき、また、通信利用料金を自由に設定または変更することができる。
【図面の簡単な説明】
【００１１】
【図１】図１Ａは、実施形態による、携帯電話機能を含む電話装置のブロック図の例を示している。図１Ｂは、図１Ａの電話装置が接続される電話網を含む通信システムの例を示している。
【図２】図２は、図１の電話装置の概略的な正面図の例を示している。
【図３Ａ】図３Ａおよび３Ｂは、図１の電話装置またはその主制御部によって実行される電話装置の動作を表す概略的なフロー図の例を示している。
【図３Ｂ】（図3Aで説明）
【図４】図４Ａ〜４Ｈは、図１の電話装置の表示部における一連の表示画面の例を示している。
【図５】図５Ａ〜５Ｄは、図１の電話装置の表示部における他の表示画面の例を示している。
【図６】図６Ａ〜６Ｄは、図１の電話装置の有料で電話する場合の電話料金の設定方法に関する表示画面の例を示している。
【考案を実施するための形態】
【００１２】
図１Ａは、実施形態による、携帯電話機能を含む電話装置１のブロック図の例を示している。図１Ｂは、図１Ａの電話装置１が接続される電話網１６を含む通信システムの例を示している。
【００１３】
図２は、図１の電話装置１の概略的な正面図の例を示している。
【００１４】
図１Ａおよび２を参照すると、電話装置１は、主制御部または主制御装置２０、携帯電話回路部または携帯電話機能部１１と、１つ以上の専用ボタン２２と、１組のボタン２４と、を備えている。１つ以上の専用ボタン２２は、例えば１つ以上のタクシー会社の配車センタのような特定の電話番号の電話機に対して発呼または発信するためのものである。１組のボタン２４は、一般的な押しボタン式公衆電話用の押しボタンまたは携帯電話機のテンキーに対応し、例えば電話番号のような番号を入力するためのものである。
【００１５】
主制御部２０は、例えばマイクロコンピュータまたはＣＰＵのようなプロセッサを含んでいる。主制御部２０は、内部に記憶部２１を含んでいても、外部の記憶部２１に接続されていてもよい。主制御部２０は、例えば、専用の集積回路であっても、または記憶部２１に格納されたプログラムに従って動作する汎用の集積回路であってもよい。
【００１６】
携帯電話回路部または携帯電機能部１１は、例えば、市販の移動体通信用の携帯電話機そのものであっても、携帯電話機の主要な部分、または携帯電話機に用いられる主要回路基板であってもよい。携帯電話回路部１１としての携帯電話機の主要な部分は、携帯電話機の表示部および／または操作ボタンを含んでいても、あるいは含んでいなくてもよい。携帯電話回路部１１が携帯電話機の表示部および／または操作ボタンを含むものであれば、その表示部および／または操作ボタンは、携帯電話回路部１１等の保守に使用することもできる。携帯電話回路部１１は、携帯電話機の充放電可能なバッテリを含んでいてもよい。携帯電話回路部１１としての携帯電話機は通常のアンテナを含んでいる。携帯電話回路部１１としての、携帯電話機の主要な部分および主要回路基板は、携帯電話機のアンテナを含んでいても、または電話装置１に設けられた別個のアンテナに接続されていてもよい。携帯電話回路部１１としての携帯電話機または携帯電話機の主要な部分は、携帯電話機の筺体を含んでいてもあるいは含んでいなくてもよい。
【００１７】
電話装置１は、さらに、送受話器２、フックスイッチ３、音響部５、電源部６、表示部２６、硬貨投入口３０、硬貨判別機３２、硬貨格納部３４、発話代行ボタン４２、スピーカ４４、および人感センサまたは赤外線センサ４６を備えている。音響部５は、音声信号用の増幅器を含んでいる。表示部２６は、例えば液晶表示装置または有機ＥＬ表示装置であってもよい。電話装置１は、さらに、硬貨の返却口３６を備え、パーソナル・コンピュータ用の接続端子５０を備えていてもよい。
【００１８】
主制御部２０は、構成要素３、５、６、１１、２２、２４、２６、３２、４２、４４、４６および５０に接続されており、構成要素３、５、６、１１、２２、２４、２６、３２、４２、４４および４６を制御することができる。
【００１９】
電源部６は、交流用アダプタ７および直流電圧変換アダプタ９を備えている。交流用アダプタ７は、給電コード１０によって供給される商用１００Ｖ交流電源を整流して適正なレベルの直流電圧に変換する。直流電圧変換アダプタ９は、充放電可能なバッテリ８の直流を適正な電圧に変換または降圧する。バッテリ８は、交流用アダプタ７によって充電されてもよい。電話装置１の設置環境に応じて、交流用アダプタ７と直流電圧変換アダプタ９のいずれか一方または双方が電源として使用されてもよい。電源部６の電力は、例えば、音響部５、携帯電話回路部１１、主制御部２０、表示部２６、硬貨判別機３２、人感センサ４６、等にも供給される。
【００２０】
図１Ｂを参照すると、利用者が、電話装置１において送受話器２を持ち上げて、いずれかの専用ボタン２２を押すと、それに応答して、主制御部２０は、携帯電話回路部１１に、押された専用ボタン２２に対応する特定の電話番号に発呼または発信させる。その呼は、移動体通信用のアクセスポイント（基地局）１３、電話網１６および交換機１４を介して、例えば配車センタ１８における被呼側の電話機に着信する。配車センタ１８の電話機では、着信時に受信した発呼側電話番号等の情報に基づいて、電話機の表示部上に電話装置１の設置場所、病院名、等が表示される。従って、利用者は、その通話状態でオペレータに配車を依頼すれば病院に配車して貰うことができる。利用者は、自己の氏名、行先等をオペレータに告げ、配車センタのオペレータはタクシーの到着予定時刻等を利用者に告げて、通話を終了する。また、利用者が、専用ボタン２２を押す前または後に発話代行ボタン４２を押すと、利用者に代わって、タクシーの配車を依頼する音声を発生させることができる。
【００２１】
一方、利用者が、電話装置１において送受話器２を持ち上げて、硬貨を硬貨投入口３０に投入してボタン２４で被呼側の電話機の電話番号を押すと、携帯電話回路部１１が、その電話番号に発呼または発信する。すると、その呼は、移動体通信用のアクセスポイント１３、電話網１６および交換機１４を介して、対応する加入者電話機１９に着信する。この場合、電話装置１の運営者は、任意の電話番号への発信に関して、通信会社の料金体系と関係なく、電話装置１の利用料金を、自由に設定または変更して課金することができる。
【００２２】
図３Ａおよび３Ｂは、図１の電話装置１またはその主制御部２０によって実行される電話装置１の動作を表す概略的なフロー図の例を示している。
【００２３】
図４Ａ〜４Ｈは、図１の電話装置１の表示部２６における一連の表示画面の例を示している。また、図５Ａ〜５Ｄは、図１の電話装置１の表示部２６における他の表示画面の例を示している。
【００２４】
図３Ａを参照すると、ステップ３０２において、主制御部２０は、人感センサ４６の検出レベルまたは検出値を取得して人が検出されたかどうかを判定する。人感センサ４６は、電話装置１の前に人が出現した場合に、例えば人が発生する赤外線で人の存在を検出することができる。人が検出されたと判定された場合は、手順はステップ３０４に進む。人が検出されるまで、ステップ３０２は、例えば０．５秒または１秒周期で周期的に繰り返し実行される。
【００２５】
ステップ３０４において、主制御部２０は、利用者に対して、電話装置１の機能の説明を表す情報を表示部２６上に可視表示し、電話装置１の機能の説明を表す音声をスピーカ４４で発生して可聴表示する。図４Ａに例示されているように、例えば、“この電話装置は、無料で予め登録されたタクシー会社に電話することができます。また、この電話装置は、有料で希望の電話番号に電話することができます。受話器を持ち上げて下さい。”と可視または可聴表示してもよい。
【００２６】
ステップ３０６において、主制御部２０は、電話装置１のフックスイッチ３がオフフック状態か、または送受話器２が持ち上げられたかどうかを検出する。オフフック状態が検出された場合には、手順はステップ３０８に進む。オフフック状態が検出されるまで、ステップ３０６は、例えば０．２秒周期で周期的に繰り返し実行される。代替形態として、オフフック状態が検出されなかった場合は、手順はステップ３０２に戻ってもよい。この場合、ステップ３０４が繰り返され、電話装置１の機能に関する説明が繰り返される。
【００２７】
ステップ３０８において、主制御部２０は、利用者に対して、電話装置１の利用法の説明を表示部２６上に可視表示し、および／または電話装置１の利用法の説明を表す音声をスピーカ４４で発生して可聴表示する。図４Ｂに例示されているように、例えば、メッセージ“登録されたタクシー会社に電話する方は、右側のご希望のタクシー会社のボタンを押して下さい。また、有料でご希望の相手に電話する方は、１枚以上の百円硬貨のみを投入し、電話番号を押して下さい。電話料金は３０秒毎に１００円です。”と可視または可聴表示してもよい。
【００２８】
図３Ｂを参照すると、ステップ３１０において、主制御部２０は、硬貨判別機３２の検出値を取得して、硬貨が硬貨投入口３０から投入されて検出されたかどうかを判定する。そのために、硬貨判別機３２は、硬貨が投入されたかどうかを判別する。硬貨が検出されなかったと判定された場合は、手順はステップ３１２に進む。この場合、主制御部２０は、図４Ｃに例示されているように、例えば、“右側のご希望のタクシー会社ボタンを押して下さい。予め登録されたタクシー会社に無料で電話することができます。”を、表示部２６に可視表示しまたは音声で可聴表示してもよい。一方、硬貨が検出されたと判定された場合は、手順はステップ３３２に進む。この場合、主制御部２０は、図４Ｄに例示されているように、“公衆電話としてもご利用いただけます。ご希望の相手に電話する方は、１枚以上の百円硬貨のみを投入し、電話番号を押して下さい。電話料金は３０秒毎に１００円です。”を、表示部２６に可視表示しまたは音声で可聴表示してもよい。
【００２９】
ステップ３１２において、主制御部２０は、専用発信ボタン２２２が押下されたかどうかを判定する。専用発信ボタン２２２が押下されたと判定された場合は、手順はステップ３１４に進む。専用発信ボタン２２２が押下されなかったと判定された場合は、手順はステップ３０６に戻る。
【００３０】
ステップ３１４において、主制御部２０は、押下されたいずれかの専用発信ボタン２２２に対応する特定の電話番号の電話機に自動的に発呼し発信する。そのために、主制御部２０は、例えば、携帯電話回路部１１に予め登録された電話番号帳における対応する特定の電話番号を付勢（活動化）してもよい。この場合、主制御部２０は、図４Ｅに例示されているような発信中の接続先のタクシー会社を表す情報を表示部２６に表示してもよい。また、その後の通話中は、主制御部２０は、図４Ｆに例示されているような通話中の接続先のタクシー会社を表す情報を表示部２６に表示してもよい。
【００３１】
ステップ３１６において、主制御部２０は、発話代行ボタン４２が押下されたかどうかを判定する。発話代行ボタン４２が押下されたと判定された場合は、手順はステップ３１８に進む。この場合、利用者は、専用発信ボタン２２２と発話代行ボタン４２の双方を押すこととなるが、専用発信ボタン２２２と発話代行ボタン４２のいずれが先または後に押されてもよい。発話代行ボタン４２が押下されなかったと判定された場合は、手順はステップ３２０に進む。
【００３２】
ステップ３１８において、主制御部２０は、利用者に代わって所定の内容の音声を発生して携帯電話回路部１１および音響部５に供給して、携帯電話回路部１１を通して通話相手の電話機に送信し送受話器２のスピーカでその所定の内容の音声を発生させてもよい。その内容は、例えば“タクシー１台を病院に配車して下さい。”であってもよい。その際、主制御部２０は、図５Ａに例示されているような、例えば、“タクシー１台を病院に配車して下さい。”のような発話の内容を、確認のために表示部２６に表示してもよい。このように、利用者が、音声の発生に関して何らかの障害のある者であっても、発話代行ボタン４２の操作によって、専用発信ボタン２２２を用いた携帯電話回路部１１の発信が可能になる。そのような障害者は、発話に関して障害があっても、聴覚には障害がないことがある。
【００３３】
ステップ３２０において、主制御部２０は、通話が終了したか、または設定された呼が解放されたかどうかを判定する。通話が終了したと判定された場合は、手順は図３Ａおよび３Ｂのルーチンを出る。通話が終了していないと判定された場合は、手順はステップ３１６に戻る。通話が終了した場合、主制御部２０は、図５Ｂに例示されているような通話終了を表す情報を、表示部２６に表示してもよい。
【００３４】
ステップ３１０で硬貨が検出されたと判定された場合は、ステップ３３２において、主制御部２０は、硬貨判別機３２の検出値に基づいて、投入された硬貨が適正な硬貨かどうかを判定する。そのために、硬貨判別機３２は、投入された硬貨の種類およびその硬貨が設定された使用可能な硬貨かどうかを判別する。使用可能な硬貨は、例えば、百円硬貨のみであってもよい。硬貨が適正であると判定された場合は、手順はステップ３３４に進む。硬貨が適正でないと判定された場合は、手順はステップ３０６に戻る。この場合、主制御部２０は、この時点で、適正でない硬貨を返却口３６に返却してもよい（図示せず）。
【００３５】
ステップ３３４において、主制御部２０は、利用者による発信を許容する。それによって、利用者は、ボタン２４を操作して、所望の電話番号の電話機に発呼または発信することができるようになる。利用者は、電話番号をボタン２４で押して発呼または発信する。この場合、主制御部２０は、表示部２６に、図４Ｇに例示されているような発信中の接続先の相手の電話番号を表す情報を表示してもよい。また、その後の通話中は、主制御部２０は、表示部２６に、図４Ｈに例示されているような通話中の接続先の相手の電話番号を表す情報を表示してもよい。
【００３６】
ステップ３３６において、主制御部２０は、通話が開始したか、または呼が設定されて通話状態になったかどうかを判定する。通話が開始されたと判定された場合は、ステップ３３８に進む。通話が開始されていないと判定された場合は、ステップ３３４に戻る。
【００３７】
ステップ３３８において、主制御部２０は、単位料金分の硬貨を硬貨格納部３４に収納する。単位料金は、例えば１枚の百円硬貨であってもよい。ここで、通話の単位料金および単位時間は、運営管理者によって電話装置１を操作することによって、携帯電話回路１１が加入している通信会社の料金体系に関係なく、自由に設定することができる。そのために、主制御部２０は、例えば、管理者の操作に従って、設定されまたは変更された単位料金および単位時間を記憶部２１に格納することができる。
【００３８】
ステップ３４０において、主制御部２０は、通話が終了したか、または設定された呼が解放されたかどうかを判定する。通話が終了していないと判定された場合は、手順はステップ３４２に進む。通話が終了したと判定された場合は、手順はステップ３４８に進む。通話が終了した場合、主制御部２０は、表示部２６に、図５Ａに例示されているような通話終了を表す情報を表示してもよい。
【００３９】
ステップ３４８において、主制御部２０は、使用されなかった残りの硬貨を返却口３６に排出する。その後、手順は図３Ａおよび３Ｂのルーチンを出る。
【００４０】
ステップ３４２において、主制御部２０は、通話を開始して単位時間（例えば、３０秒）が経過したかどうかを判定する。単位時間が経過したと判定された場合は、手順はステップ３４４に進む。単位時間が経過していないと判定された場合は、手順はステップ３４０に戻る。
【００４１】
ステップ３４４において、主制御部２０は、硬貨判別機３２の検出値を取得して、投入された適正な硬貨が検出されたかどうかを判定する。適正な硬貨が検出されなかったと判定された場合は、手順はステップ３４６に進む。適正な硬貨が検出されたと判定された場合は、手順はステップ３３８に戻る。
【００４２】
ステップ３４６において、主制御部２０は、携帯電話回路部１１を強制的にオンフック状態にし、または呼を解放して、通話を終了させる。その後、手順は図３Ａおよび３Ｂのルーチンを出る。
【００４３】
その他の一般的な動作として、電話装置１が故障状態にある場合、主制御部２０は、図５Ｃに例示されているような故障状態を表す情報を表示部２６に表示してもよい。
【００４４】
表示部２６に表示される必要のある他の情報が存在しない場合、主制御部２０は、図５Ｄに例示されているような現在の日付および時刻を表示部２６に表示してもよい。
【００４５】
次に、電話装置１の単位料金および単位時間の設定と変更の方法について説明する。
図６Ａ〜６Ｄは、図１の電話装置１の有料で電話する場合の電話料金の設定方法に関する表示画面の例を示している。
【００４６】
電話装置１または主制御部２０は、シンボル“＊”および“＃”を含む番号入力用の１組のボタン２４を所定の順序で押下操作することによって、単位料金および単位時間を設定または変更するための料金設定モードに移行することができる。代替形態として、電話装置１は、その筺体を鍵で開けて、主制御部２０に接続された接続端子５０にパーソナル・コンピュータを接続し、パーソナル・コンピュータ上で主制御部２０を制御して単位料金および単位時間を主制御部２０に設定または変更してもよい。
【００４７】
料金設定または変更のモードの図６Ａに例示した使用硬貨設定用の画面において、主制御部２０は、表示部２６に、例えば、使用可能硬貨または単位料金の選択肢（例えば、１０円硬貨、１００円硬貨、５０円硬貨）を表示する。電話装置１の管理者は、例えば、数入力用のボタン（２４）でそれぞれの単位料金としての使用可能な硬貨の種類を設定することができる。
【００４８】
同様に図６Ｂに例示した最大投入硬貨数設定用の画面において、主制御部２０は、表示部２６に最大投入硬貨数（０枚以上の特定の枚数）の各入力フィールドを表示する。管理者は、例えば、数入力用のボタン（２４）で最大投入硬貨の枚数を設定することができる。
【００４９】
同様に図６Ｃの上側に例示した自局設定エリア設定用の画面において、主制御部２０は、表示部２６に自局の設置エリア（例えば、移動体通信基地局）の入力フィールドを表示する。管理者は、例えば、数入力用のボタン（２４）で自局の属する移動体通信基地局のエリアを表す番号を設定することができる。
【００５０】
同様に図６Ｃの下側に例示した接続先設定用の画面において、主制御部２０は、表示部２６に許容する接続先のエリア（例えば、上位桁の電話番号、または市外局番）の入力フィールドを表示する。管理者は、例えば、数入力用のボタン（２４）で許容する接続先のエリアを表す番号で接続先の種類（例えば、県内、県外、携帯電話、国際電話）を設定することができる。
【００５１】
同様に図６Ｄに例示した単位料金・単位時間設定用の画面において、主制御部２０は、表示部２６に、接続先毎の単位料金または硬貨の種類毎の単位通話時間の入力フィールドを表示する。管理者は、例えば、数入力用のボタン（２４）で接続先毎に硬貨の種類毎の単位通話時間（例えば、接続先が国内の場合、１００円硬貨に対して通話時間００．０〜３０．０秒）を設定することができる。
【００５２】
上述の実施形態の電話装置１を公園や催物会場内の各所に分散配置しておけば、入場者は、送受話器２を取上げることによって案内センタでは当該入場者の位置を表示することができる。それによって、例えば、入場者が道に迷った場合に、担当者は入場者を誘導案内することができ、また、入場者が急病にかかった場合に、担当者はその場所へ救急車を派遣することができる。また、実施形態の電話装置１を、エレベータ内に設置しておけば、エレベータの管理会社は故障時に直ちに修理要員を現場に派遣することができる。また、実施形態の電話装置１を用いれば、利用者は、有料で任意の電話番号の電話機に発信することもできる。
【００５３】
以上説明した実施形態は典型例として挙げたに過ぎず、その各実施形態の構成要素を組み合わせること、その変形及びバリエーションは当業者にとって明らかであり、当業者であれば本考案の原理及び請求の範囲に記載した考案の範囲を逸脱することなく上述の実施形態の種々の変形を行えることは明らかである。
【符号の説明】
【００５４】
１  電話装置
２  送受話器
３  フックスイッチ
５  音響部
６  電源部
７  交流用アダプタ
８  バッテリ
９  直流電圧変換アダプタ
１０  電源コード
１１   携帯電話回路部
２０  主制御部
２１  記憶部
２２  専用ボタン
２４  １組のボタン
２６  表示部
３０  硬貨投入口
３２  硬貨判別機
３４  硬貨格納部
３６  硬貨の返却口
４２  発話代行ボタン
４４  スピーカ
４６  人感センサ
１３  アクセスポイント
１４  交換機
１６  電話網
１８  配車センタ
１９  加入者電話機
【図１】
0003189301.tif 000003
【図２】
0003189301.tif 000004
【図３Ａ】
0003189301.tif 000005
【図３Ｂ】
0003189301.tif 000006
【図４】
0003189301.tif 000007
【図５】
0003189301.tif 000008
【図６】
0003189301.tif 000009